(57)【特許請求の範囲】
【請求項１】
棟部を挟んで傾斜した２つの屋根面のうちの少なくとも一方の屋根面に機能パネルを固定する為の棟部固定金具を備えた機能パネルの固定構造であって、
前記棟部固定金具は、
前記棟部を挟んで前記２つの屋根面に固定可能な１対の屋根面固定部と、前記機能パネルの上端部を固定可能なパネル上部固定部とを有し且つ前記棟部に被冠させて固定する棟部被冠部と、
前記棟部被冠部の前記１対の屋根面固定部のうちの少なくとも一方の屋根面固定部の端部から前記屋根面に対して平行に下方へ延びる延長部と、
前記延長部の下端部に設けられ且つ前記機能パネルの下端部を固定可能なパネル下部固定部とを備え、
前記パネル下部固定部は、前記機能パネルの裏面側で且つ前記機能パネルの下端部よりも上方に位置していることを特徴とする機能パネルの固定構造。
【請求項２】
前記棟部被冠部は、前記棟部に装着された換気棟包みの外形形状に沿うような形状に構成され、前記棟部被冠部の前記１対の屋根面固定部は、前記換気棟包みの換気口の近傍に夫々設けられたことを特徴とする請求項１に記載の機能パネルの固定構造。
【請求項３】
前記延長部の下端部は、前記屋根面の傾斜方向と直交する方向に張架されたワイヤー部材によって保持されていることを特徴とする請求項１に記載の機能パネルの固定構造。
【発明の詳細な説明】
【技術分野】
【０００１】
本発明は機能パネルの固定構造に関し、特に機能パネルを屋根の棟部を利用して傾斜した屋根面に設置する固定構造に関する。
【背景技術】
【０００２】
従来から、太陽光発電パネルや太陽熱温水パネル等の種々の機能パネルが、住宅の傾斜した屋根の上に設置されている。機能パネルを太陽光発電パネルとして設置する場合は、太陽光により発電した電力を住宅用の電力として供給することができ、また、機能パネルを太陽熱温水パネルとして設置する場合は、太陽熱により生成された温水を貯湯タンクに貯留した後に給湯することができる。
【０００３】
ところで、上記の機能パネルを屋根上に設置する場合、従来では、屋根の傾斜した屋根面に固定金具（固定用架台）を固定し、固定金具に機能パネルを取り付けることで、機能パネルを屋根上に設置している。住宅の屋根構造が複数の化粧スレートが敷設されたスレート屋根である場合、一般的に、固定金具は化粧スレートを貫通して屋根構造材（野地板、垂木）にビス固定される。
【０００４】
しかし、従来の固定方法であって固定金具を化粧スレートを貫通して屋根構造材にビス固定する固定方法では、ビス固定部から雨水が屋内に侵入して雨漏りが発生したり、侵入した雨水によって屋根構造体を腐食させたりする等の不具合が発生する虞がある。そこで、この問題を解決する為のビス固定部に対する防水構造が、種々の文献に開示されている。
【０００５】
例えば、特許文献１の太陽電池モジュールの屋根取付け方法においては、固定金具のビス固定部に別体の金属製の覆い板を被せ、この覆い板の上端部を化粧スレートの間に差し込んだ構造が開示され、特許文献２のスレート屋根へのソーラーモジュール取付金具においては、固定金具に、ビス固定部の上方側を覆う山形形状の水切り用立ち上がり部と、シール溝を形成する１対のシール溝形成用立ち上がり部とを設けた構造が開示されている。
【先行技術文献】
【特許文献】
【０００６】
【特許文献１】特開平９−１８４２６４号公報
【特許文献２】特開２０１２−２４１４１０号公報
【発明の概要】
【発明が解決しようとする課題】
【０００７】
しかし、特許文献１の太陽電池モジュールの屋根取付け方法では、ビス固定部に防水専用部材である別体の金属製の覆い板を取り付ける必要があるので、部品点数が増加して、コスト高となる問題があり、特許文献２のスレート屋根へのソーラーモジュール取付金具では、固定金具に防水専用の構造である水切り用立ち上がり部や１対のシール溝形成用立ち上がり部を一体的に設ける必要があるので、固定金具の構造が複雑化してしまうという問題がある。
【０００８】
本発明の目的は、機能パネルの固定構造において、ビス固定部を低減して、低コストで且つ簡単な構造でもって屋根裏への雨水等の侵入を防止可能な構造を備えたもの、少ない部材で且つ省施工で機能パネルを屋根に設置可能な構造を備えたもの、等を提供することである。
【課題を解決するための手段】
【０００９】
請求項１の機能パネルの固定構造は、棟部を挟んで傾斜した２つの屋根面のうちの少なくとも一方の屋根面に機能パネルを固定する為の棟部固定金具を備えた機能パネルの固定構造であって、前記棟部固定金具は、前記棟部を挟んで前記２つの屋根面に固定可能な１対の屋根面固定部と、前記機能パネルの上端部を固定可能なパネル上部固定部とを有し且つ前記棟部に被冠させて固定する棟部被冠部と、前記棟部被冠部の前記１対の屋根面固定部のうちの少なくとも一方の屋根面固定部の端部から前記屋根面に対して平行に下方へ延びる延長部と、前記延長部の下端部に設けられ且つ前記機能パネルの下端部を固定可能なパネル下部固定部とを備え、前記パネル下部固定部は、前記機能パネルの裏面側で且つ前記機能パネルの下端部よりも上方に位置していることを特徴としている。
【００１０】
請求項２の機能パネルの固定構造は、請求項１の発明において、前記棟部被冠部は、前記棟部に装着された換気棟包みの外形形状に沿うような形状に構成され、前記棟部被冠部の前記１対の屋根面固定部は、前記換気棟包みの換気口の近傍に夫々設けられたことを特徴としている。
【００１２】
請求項３の機能パネルの固定構造は、請求項１の発明において、前記延長部の下端部は、前記屋根面の傾斜方向と直交する方向に張架されたワイヤー部材によって保持されていることを特徴としている。
【発明の効果】
【００１３】
請求項１の発明によれば、棟部固定金具は、棟部を挟んで２つの屋根面に固定可能な１対の屋根面固定部と、機能パネルの上端部を固定可能なパネル上部固定部とを有し且つ棟部に被冠させて固定する棟部被冠部と、棟部被冠部の１対の屋根面固定部のうちの少なくとも一方の屋根面固定部の端部から屋根面に対して平行に下方へ延びる延長部と、延長部の下端部に設けられ且つ機能パネルの下端部を固定可能なパネル下部固定部とを備えたので、以下の効果を奏する。
【００１４】
即ち、棟部固定金具を屋根に取り付ける場合、棟部被冠部を棟部に被冠させ、１対の屋根面固定部を２つの屋根面に夫々固定することで、棟部固定金具を屋根に取り付けることができ、機能パネルを棟部固定金具に取り付ける場合、機能パネルの上端部と下端部とを棟部固定金具のパネル上部固定とパネル下部固定部とに夫々固定することで、機能パネルを屋根に設置することができる。
【００１５】
従って、棟部被冠部を、棟部を挟んで２つの屋根面に固定することで、延長部を介して棟部被冠部と連なるパネル下部固定部を屋根面に直接固定する必要がなくなるので、機能パネルの上端部と下端部とを別体の固定金具を使用して屋根に設置する場合と比較して、屋根面のビス固定部が低減し、雨漏り対策の為のシール箇所も低減し、特許文献１のようにビス固定部に対して専用の防水部材を取り付ける場合や特許文献２のように固定金具に専用の防水構造を形成する場合と比較して、低コストで且つ簡単な構造でもって屋根裏への雨水等の侵入を防止することができる。
【００１６】
また、機能パネルの上端部と下端部とを一体品の棟部固定金具によって固定可能であるので、機能パネルの上端部と下端部とを別体の固定金具で夫々固定する場合における固定金具の位置決めの為の墨出し作業等が必要なくなり、少ない部品で且つ省施工で屋根に機能パネルを設置することができ、機能パネルの設置を低コストで実現できる。
そして、パネル下部固定部は、機能パネルの裏面側で且つ機能パネルの下端部よりも上方に位置しているので、機能パネルと棟部固定金具との間の固定部が、機能パネルの外側に露出しなくなり、機能パネルの外観が維持されるので、意匠的価値を損なうことがない。
【００１７】
請求項２の発明によれば、棟部被冠部は、棟部に装着された換気棟包みの外形形状に沿うような形状に構成され、棟部被冠部の１対の屋根面固定部は、換気棟包みの換気口の近傍に夫々設けられたので、屋根面のビス固定部を棟部の近傍に配置することができ、これにより、ビス固定部の近傍を流れる雨水の流量が低減し、屋根裏への雨水等の侵入をより確実に防止することができる。
【００１９】
請求項３の発明によれば、延長部の下端部は、屋根面の傾斜方向と直交する方向に張架されたワイヤー部材によって保持されているので、ワイヤー部材によって延長部が屋根面から離間することに対して補強することができ、棟部固定金具の下端部の固定強度不足を解消することができる。
【図面の簡単な説明】
【００２０】
【図１】実施例１に係る屋根と機能パネルと棟部固定金具の斜視図である。
【図２】棟側の屋根と機能パネルと棟部固定金具の断面図である。
【図３】軒側の屋根と機能パネルと棟部固定金具の断面図である。
【図４】棟部固定金具の斜視図である。
【図５】実施例２に係る軒側の屋根と機能パネルと棟部固定金具の断面図である。
【図６】棟部固定金具の斜視図である。
【図７】実施例２の部分変更形態に係る棟部固定金具の斜視図である。
【発明を実施するための形態】
【００２１】
以下、本発明を実施するための形態について実施例に基づいて説明する。
【実施例１】
【００２２】
本発明は、機能パネル１０の固定構造に関するものであるが、最初に、本発明の機能パネル１０の固定構造が適用される屋根１の構造について簡単に説明する。
【００２３】
図１〜図３に示すように、建物の上部を覆う屋根１（スレート屋根）は、２つの傾斜屋根２Ａ，２Ｂ、この２つの傾斜屋根２Ａ，２Ｂの屋根面３Ａ，３Ｂが交わる稜線部分からなる棟部４、２つの傾斜屋根２Ａ，２Ｂの下端部であって建物の外側に夫々突出する軒部５Ａ，５Ｂ等から構成されている。
【００２４】
図２，図３に示すように、２つの傾斜屋根２Ａ，２Ｂは、傾斜方向に延び且つ傾斜方向と直交する方向に等間隔に配設された複数の垂木６、これら複数の垂木６の上に隙間無く配設された野地板７、この野地板７の上に重畳された複数の化粧スレート８等から夫々構成されている。
【００２５】
図１，図２に示すように、棟部４には、屋根裏に連通する開口部４ａが稜線に沿って所定の間隔を空けて形成され、この開口部４ａを覆うように換気棟包み９が棟部４に装着されている。換気棟包み９は、化粧スレート８に固定された１対の内側部材９ａと、この１対の内側部材９ａに固定され且つ断面視にて山形形状の外側部材９ｂとを備えている。
【００２６】
１対の内側部材９ａと外側部材９ｂとの間には、開口部４ａに連通し且つ空気を流通する為の換気通路９ｃと、この換気通路９ｃから屋根面３Ａ，３Ｂの傾斜方向の下方に向かって夫々開口し且つ棟部４の近傍部に夫々開口した２つの換気口９ｄが設けられている。換気通路９ｃには、空気が上下に蛇行しながら流通するように複数の仕切り部９ｅが設けられている。
【００２７】
次に、機能パネル１０について説明する。
図１〜図３に示すように、機能パネル１０は、例えば１．３ｍ×０．７ｍ程度のサイズに構成された長方形状のパネル本体１０ａ、このパネル本体１０ａの周囲を覆うフレーム枠１０ｂ等を有している。本実施例では、機能パネル１０は太陽熱温水パネルであるが、これに限定する必要はなく、太陽光発電パネルからなる機能パネル１０の場合であっても良い。尚、機能パネル１０のサイズ・形状は、長方形状に限らず正方形状のものであっても良く、適宜変更可能である。
【００２８】
次に、本発明の機能パネル１０の固定構造について説明する。
図１〜図４に示すように、機能パネル１０の固定構造は、棟部４を挟んで傾斜した２つの屋根面３Ａ，３Ｂのうちの少なくとも一方の屋根面３Ａに機能パネル１０を固定する為の棟部固定金具１２を備えたものである。
【００２９】
即ち、機能パネル１０の固定構造は、傾斜屋根２Ａの上に棟部４に沿って配置された１又は複数の機能パネル１０を屋根面３Ａに固定する為の構造であって、１又は複数の機能パネル１０を１又は複数の棟部固定金具１２によって上下方向（縦方向）の両端を支持した状態で屋根面３Ａに固定する為の構造である。
【００３０】
尚、図示は省略しているが、屋根１には、複数の機能パネル１０が棟部４に沿うように配置され、機能パネル１０のサイズ、設置数や設置位置に応じて複数の棟部固定金具１２が屋根１に取り付けられているが、図１では、１枚の機能パネル１０と２つの棟部固定金具１２のみを図示している。複数の棟部固定金具１２は、全て同じ形状のものであるので、以下では、１つの棟部固定金具１２についてのみ説明する。
【００３１】
次に、棟部固定金具１２の具体的な構造について説明する。
図１〜図４に示すように、棟部固定金具１２は、機能パネル１０を屋根１の棟部４の近傍に且つ屋根面３Ａ，３Ｂのうちの一方の屋根面３Ａと平行に取り付ける為のものである。棟部固定金具１２は、薄鋼板を打ち抜き及び曲げ加工する板金加工によって形成されている。棟部固定金具１２の表面には、防蝕兼絶縁被膜が形成されている。
【００３２】
図１〜図４に示すように、棟部固定金具１２は、１対の屋根面固定部１４Ａ，１４Ｂ及びパネル上部固定部１５を有する棟部被冠部１３、この棟部被冠部１３の１対の屋根面固定部１４Ａ，１４Ｂのうちの少なくとも一方の屋根面固定部１４Ａの端部から屋根面３Ａに対して平行に下方へ延びる延長部１６、この延長部１６の下端部に設けられ且つ機能パネル１０の下端部を固定可能なパネル下部固定部１７等を備えている。
【００３３】
次に、棟部被冠部１３について説明する。
図２，図４に示すように、棟部被冠部１３は、棟部４に被冠させて固定する為のものであり、断面視にて山形形状の頂壁面部１３ａ、この頂壁面部１３ａの両端部から略直角に屋根面３Ａ，３Ｂ側に夫々延びる１対の縦壁面部１３ｂ、この１対の縦壁面部１３ｂから略直角に互いに離隔する方向に夫々延びる１対の屋根面固定部１４Ａ，１４Ｂ等を備え、棟部４に装着された換気棟包み９の外形形状に沿うような形状に構成されている。
【００３４】
次に、１対の屋根面固定部１４Ａ，１４Ｂについて説明する。
図２，図４に示すように、１対の屋根面固定部１４Ａ，１４Ｂは、棟部４を挟んで２つの屋根面３Ａ，３Ｂに固定可能なものであり、２つの貫通孔２１を夫々備えている。１対の屋根面固定部１４Ａ，１４Ｂは、２本の固定ビス２２（所謂、木ネジ）を介して２つの傾斜屋根２Ａ，２Ｂの化粧スレート８と野地板９に夫々固定されることで、屋根面３Ａ，３Ｂに夫々固定されている。１対の屋根面固定部１４Ａ，１４Ｂは、換気棟包み９の換気口９ｄの近傍に夫々設けられている（図２参照）。
【００３５】
次に、パネル上部固定部１５について説明する。
図２，図４に示すように、パネル上部固定部１５は、機能パネル１０の上端部を固定可能なものであり、頂壁面部１３ａの２つの傾斜面部のうちの傾斜屋根２Ａ側の傾斜面部からなる。パネル上部固定部１５は、パネル固定金具２５を固定する為の貫通孔２３を備えている。
【００３６】
機能パネル１０の上端部をパネル上部固定部１５に固定する場合、機能パネル１０のフレーム枠１０ｂに形成された係合部１０ｃに、パネル固定金具２５の係合部を係合し、締結ボルト２６を貫通孔２３の下方から挿入し、締結ボルト２６の先端部をパネル固定金具２５の挿通孔を挿通して上方からナット２７で螺合することで、機能パネル１０の上端部をパネル上部固定部１５に固定することができる（図２参照）。
【００３７】
次に、延長部１６について説明する。
図２〜図４に示すように、延長部１６は、棟部被冠部１３とパネル下部固定部１７とを連結する為のものであり、屋根面３Ａの傾斜方向に平行に且つ固定状態の機能パネル１０の下部近傍に向かって延びるように形成されている。延長部１６の下端部は、屋根面３Ａの傾斜方向と直交する方向に張架されたワイヤー部材３３によって保持されている。ワイヤー部材３３は、延長部１６の表面に接触して屋根面３Ａ側に押圧しても良いし、延長部１６の表面に近接した状態であっても良い。
【００３８】
次に、パネル下部固定部１７について説明する。
図３，図４に示すように、パネル下部固定部１７は、機能パネル１０の下端部を固定可能なものであり、側面視にてＬ字形状に構成されている。パネル下部固定部１７は、その先端が棟部４に向くように延長部１６の下端部から延長した部分を折り返すことで形成されている。パネル下部固定部１７は、機能パネル１０の裏面側で且つ機能パネル１０の下端部よりも上方に位置している。
【００３９】
機能パネル１０の下端部をパネル下部固定部１７に固定する場合、機能パネル１０の裏面側に形成されたＬ字係合片１０ｄを、パネル下部固定部１７に傾斜方向の上方から係合することで、機能パネル１０の下端部をパネル下部固定部１７に固定することができる。
【００４０】
尚、棟部固定金具１２の上下方向（縦方向）の長さは、機能パネル１０の上下幅（縦幅）に合わせて設定され、棟部固定金具１２の左右方向（横方向）の長さは、機能パネル１０の左右幅（横幅）の１／８〜１／１２程度に設定され、棟部固定金具１２の板厚は、例えば１．６ｍｍ程度に設定されているが、特にこれらのサイズに限定する必要はない。
【００４１】
機能パネル１０には、断面視にて山形形状の化粧カバー３１が取り付けられている。化粧カバー３１の一方の端部は、パネル固定金具２５にビス３１ａによって固定され、化粧カバー３１の他方の端部は、棟部被冠部１３の屋根面３Ｂ側の縦壁面部１３ｂにビス３１ｂによって固定されている。機能パネル１０が太陽熱温水パネルの場合は、化粧カバーの内部に配管３２が収納されている。
【００４２】
次に、ワイヤー部材３３について説明する。
図１，図３，図４に示すように、ワイヤー部材３３は、例えば、可撓性のある非伸縮性の線状部材で構成され、機能パネル１０の裏面側で且つ棟部固定金具１２の延長部１６の上側を通るように傾斜屋根２Ａの傾斜方向と直交する方向に張架されている。ワイヤー部材３３の両端部は、建物の壁部に固定された接続金具（図示略）に夫々連結されている。ワイヤー部材３３の直径は、例えば、１ｍｍ〜２ｍｍ程度に設定される。尚、本実施例のワイヤー部材３３は、可撓性を有するものであるが、ある程度の直進性を維持可能なものが望ましい。
【００４３】
次に、本発明の機能パネル１０の固定構造の作用及び効果について説明する。
先ず、棟部固定金具１２を屋根１に取り付ける場合、棟部固定金具１２の棟部被冠部１３を棟部４の換気棟包み９に被冠させ、棟部被冠部１３の１対の屋根面固定部１４Ａ，１４Ｂを２つの屋根面３Ａ，３Ｂの棟部４の近傍に複数のビス２２を介して夫々固定することで、棟部固定金具１２を屋根１に取り付けることができる。尚、機能パネル１０の設置数や設置個所に応じて、１又は複数の棟部固定金具１２が棟部４に取り付けられる。
【００４４】
次に、機能パネル１０を棟部固定金具１２に取り付ける場合、機能パネル１０の下端部のＬ字係合片１０ｄをパネル下部固定部１７に差し込み、機能パネル１０の上端部をパネル上部固定部１５にパネル固定金具２５や締結ボルト２６等を介して固定することで、機能パネル１０を棟部固定金具１２に上下両端を支持する状態にして屋根１（屋根面３Ａ）に設置することができる。
【００４５】
以上説明したように、棟部被冠部１３を、棟部４を挟んで２つの屋根面３Ａ，３Ｂに固定することで、延長部１６を介して棟部被冠部１３と連なるパネル下部固定部１７を屋根面３Ａに直接固定する必要がなくなるので、機能パネルの上端部と下端部とを別体の固定金具を使用して屋根に設置する場合と比較して、屋根面３Ａのビス固定部が低減し、雨漏り対策の為のシール箇所も低減し、ビス固定部に対して専用の防水部材を取り付ける場合や固定金具に専用の防水構造を形成する場合と比較して、低コストで且つ簡単な構造でもって屋根裏への雨水等の侵入を防止することができる。
【００４６】
また、機能パネル１０の上端部と下端部とを一体品の棟部固定金具１２によって固定可能であるので、機能パネル１０の上端部と下端部とを別体の固定金具で夫々固定する場合における位置決めの為の墨出し作業等が必要なくなり、少ない部品で且つ省施工で屋根面３Ａに機能パネル１０を設置することができ、機能パネル１０の設置を低コストで実現できる。
【００４７】
棟部被冠部１３は、棟部４に装着された換気棟包み９の外形形状に沿うような形状に構成され、棟部被冠部１３の１対の屋根面固定部１４Ａ，１４Ｂは、換気棟包み９の換気口９ｄの近傍に夫々設けられたので、屋根面３Ａのビス固定部を棟部４の近傍に配置することができ、これにより、ビス固定部の近傍を流れる雨水の流量が低減し、屋根裏への雨水等の侵入をより確実に防止することができる。
【００４８】
パネル下部固定部１７は、機能パネル１０の裏面側で且つ機能パネル１０の下端部よりも上方に位置しているので、機能パネル１０と棟部固定金具１２との間の固定部が、機能パネル１０の外側に露出しなくなり、機能パネル１０の外観が維持されるので、意匠的価値を損なうことがない。
【００４９】
延長部１６の下端部は、屋根面３Ａの傾斜方向と直交する方向に張架されたワイヤー部材３３によって保持されているので、ワイヤー部材３３によって延長部１６が屋根面３Ａから離間することに対して補強することができ、棟部固定金具１２の下端部の固定強度不足を解消することができる。
【実施例２】
【００５０】
次に、実施例１の棟部固定金具１２を部分的に変更した実施例２について説明する。尚、実施例１では、棟部固定金具１２のパネル下部固定部１７は、機能パネル１０の裏面側で且つ機能パネル１０の下端部よりも上方に位置しているが、この実施例２では、棟部固定金具１２Ａのパネル下部固定部１７Ａは、機能パネル１０Ａの下端部と略同じ位置にある。
【００５１】
図５，図６に示すように、パネル下部固定部１７Ａは、機能パネル１０Ａの下端部を固定可能なものであり、パネル固定金具３５を固定する為の貫通孔２８を備え、側面視にてＬ字形状に構成されている。パネル下部固定部１７Ａは、その先端が軒側に向くように延長部１６の下端部から延長した部分を折り曲げることで形成されている。パネル下部固定部１７Ａは、機能パネル１０Ａの下端部と略同じ位置に位置している。
【００５２】
機能パネル１０Ａの下端部をパネル下部固定部１７Ａに固定する場合、機能パネル１０Ａのフレーム枠１０Ａｂに形成された係合部１０Ａｄに、パネル固定金具３５の係合部を係合し、締結ボルト３６をパネル固定金具３５の挿通孔に上方から挿入し、締結ボルト３７の先端部をパネル下部固定部１７の貫通孔２８を挿通して下方からナット３７で螺合することで、機能パネル１０Ａの下端部をパネル下部固定部１７Ａに固定することができる（図５参照）。その他の構成、作用及び効果については、前記実施例１と同様であるので説明は省略する。
【００５３】
次に、棟部固定金具１２Ａの部分変更形態について説明する。
図７に示すように、棟部固定金具１２Ｂの延長部１６の幅方向の両端部には、傾斜方向の全長に亙って１対のリブ部３９が形成されている。１対のリブ部３９の傾斜方向の上下両端部は、棟部被冠部１３とパネル下部固定部１７Ａとに夫々溶接接合されている。１対のリブ部３９の下端近傍部には、ワイヤー部材３３が挿通される貫通孔３９ａが夫々形成されているが、これら貫通孔３９ａは省略可能である。延長部１６の下端部には、雨水を逃す為の逃し孔（図示略）が形成されている。このように、１対のリブ部３９ａを設けることで、棟部固定金具１２Ｂの強度が向上する。
【００５４】
次に、前記実施例１，２を部分的に変更した形態について説明する。
［１］前記実施例１，２において、棟部固定金具１２，１２Ａ，１２Ｂは、棟部被冠部１３の１対の屋根面固定部１４Ａ，１４Ｂのうちの一方の屋根面固定部１４Ａの端部から屋根面３Ａに対して平行に下方へ延長部１６が延び、この延長部１６の下端部にパネル下部固定部１７を設けた構造であるが、特にこの構造に限定する必要はなく、適宜変更可能である。
【００５５】
即ち、棟部被冠部１３に２つのパネル上部固定部１５を設け、１対の屋根面固定部１４Ａ，１４Ｂの両端部から屋根面３Ａ，３Ｂに対して平行に下方へ２つの延長部１６が延び、これら２つの延長部１６の下端部にパネル下部固定部１７を設けた構造であっても良い。この構造によれば、棟部４を挟んで傾斜した２つの屋根面３Ａ，３Ｂの両方に機能パネル１０を固定することができる。
【００５６】
［２］前記実施例１，２の棟部被冠部１３の形状は、特に限定する必要はなく、棟部４に装着された換気棟包み９の外形形状に応じて適宜変更可能であり、前記実施例１，２の棟部被冠部１６の延長部の長さも、機能パネル１０，１０Ａのサイズに応じて適宜変更可能である。
【００５７】
［３］前記実施例１，２においては、換気棟包み９について説明したが、特にこれに限ることなく、換気棟包み９に併設される棟包み（図示せず、換気棟包み９と外形形状が略同等）を備えていても良い。
【００５８】
［４］その他、当業者であれば、本発明の趣旨を逸脱することなく、前記実施例に種々の変更を付加した形態で実施可能であり、本発明はそのような変更形態を包含するものである。
【符号の説明】
【００５９】
３Ａ，３Ｂ      屋根面
４              棟部
９              換気棟包み
９ｄ            換気口
１０            機能パネル
１２，１２Ａ，１２Ｂ  棟部固定金具
１３            棟部被冠部
１４Ａ，１４Ｂ  １対の屋根面固定部
１５            パネル上部固定部
１６            延長部
１７，１７Ａ    パネル下部固定部
３３            ワイヤー部材
【図１】
0006422292.tif 000002
【図２】
0006422292.tif 000003
【図３】
0006422292.tif 000004
【図４】
0006422292.tif 000005
【図５】
0006422292.tif 000006
【図６】
0006422292.tif 000007
【図７】
0006422292.tif 000008